(57)【要約】      （修正有）【課題】既存の階段を壊すことなく、簡易な工事で設置でき、使用されない場合があっても邪魔な設備とはならない昇降機を提供する。【解決手段】Ｕターン型階段を有する階段室に設置される昇降機において、出入りのための開口１０ａを一側面に備えたかご体１０を、略垂直に上下移動可能に階段室に配設し、かご体を、階段の段板形状に対応した形状の底面を有すると共に、下降位置において開口が階段の昇降口に面し、底面が階段の上面に接触もしくは近接させられるように構成する。【選択図】図２
2010023960.tif 000002
【特許請求の範囲】
【請求項１】
Ｕターン型階段を有する階段室に設置される昇降機において、
出入りのための開口を一側面に備えたかご体が、略垂直に上下移動可能に階段室に配設され、
上記かご体は、階段の段板形状に対応した形状の底面を有し、下降位置において、上記開口が階段の昇降口に面すると共に底面が階段の上面に接触もしくは近接させられるように構成されてなることを特徴とする昇降機。
【請求項２】
かご体の内部に棚板を着脱自在に備えたことを特徴とする請求項１に記載の昇降機。
【請求項３】
不使用時に、かご体が上昇位置に固定され、かご体の内部に棚板が取付けられて、物入として使用されることを特徴とする請求項２に記載の昇降機。
【請求項４】
かご体の内部に、底面形状を利用した腰掛部が形成されてなることを特徴とする請求項１に記載の昇降機。
【発明の詳細な説明】
【技術分野】
【０００１】
本発明は、Ｕターン型階段を有する階段室に設置可能な昇降機に関する。
【背景技術】
【０００２】
二階以上の低層住宅において上階への移動には、通常は階段が利用されている。しかし、階段は、車椅子を利用しなければならない身体的障害者は勿論のこと、高齢者等にとっても使用が困難な場合がある。
そこで、低層住宅においても、上階への移動のために昇降機がしばしば設置される。そのような昇降機としては家庭用エレベータが一般的であるが、狭小な住宅では、エレベータ室を確保することが難しい。そのため、階段壁面に沿って設けたレールに椅子を移動可能に設置してなる階段昇降機がしばしば利用される。
しかし、従来の階段昇降機では、レールと椅子が階段側に飛び出してしまい、階段の有効幅を狭め、階段使用時の障害となってしまう不具合があった。
【０００３】
かかる状況下、折り返し階段と乗用エレベータとの複合昇降設備が提案されている（特許文献１）。この複合昇降設備によれば、階段室に乗用エレベータを組込んで設置しているので、階段室とは別にエレベータ室を確保することが不要となり、狭小な住宅でも設備することができる。
しかしながら、特許文献１の昇降設備では、折り返し階段の下部数段分の取外しが必要であり、住宅の新築時から設備しておかないと施工が難しいという問題があった。また、エレベータを使用しない場合には、エレベータを格納しておくための空間が屋根裏に必要であるが、そのような空間を確保することは困難な場合がある。
【特許文献１】特開２００１−２３３５６７号公報
【発明の開示】
【発明が解決しようとする課題】
【０００４】
本発明は、上記事情に鑑みてなされたもので、既存の階段を壊すことなく、簡易な工事で設置できる昇降機を提供することを目的とする。
また、使用時期が限定されて使用されない場合があっても、邪魔な設備とはならない昇降機を提供することも目的とする。
【課題を解決するための手段】
【０００５】
第一の発明によれば、
Ｕターン型階段を有する階段室に設置される昇降機において、
出入りのための開口を一側面に備えたかご体が、略垂直に上下移動可能に階段室に配設され、
上記かご体は、階段の段板形状に対応した形状の底面を有すると共に、下降位置において上記開口が階段の昇降口に面し、底面が階段の上面に接触もしくは近接させられるように構成されてなることを特徴とする昇降機が提供される。
【０００６】
ここで、Ｕターン型階段とは、昇降方向が途中でＵターンする階段のことで、中折れ階段もしくは折り返し階段と同義である。好ましくは、Ｕターン型階段は二階建て住宅に設置されたものである。
また、かご体の昇降の駆動方式は特に限定されるものではないが、かご体の下方に駆動装置が装備されることはないものでなければならず、例えば、かご体を階段室にロープ等によって吊設し、ロープ等を巻き上げる等して昇降させる方式が好ましい。
第一の発明では、階段室に昇降機を設けるので、エレベータ室のような空間を階段室以外に設ける必要が無く、狭小の住宅にも設置ができ、また既存の階段をそのままにして昇降機を設置できるので、施工が容易であり、新築時に施工しておかないで後設置することも可能である。
【０００７】
第二の発明によれば、第一の発明において、かご体の内部に棚板を着脱自在に備えたことを特徴とする昇降機が提供される。
かかる構成によれば、通常は棚板が取外されていて、かご体内に乗込むことができるが、昇降機を使用する必要がない場合には、かご体の内部に棚板を取付けて、かご体を物入として利用することができる。よって、本昇降機は、昇降機として使用されない場合であっても、物入として利用できるので、邪魔な設備とはならず、また従来のように屋根裏に昇降機の格納場所を確保する必要もない。
【０００８】
第三の発明によれば、第二の発明において、不使用時に、かご体が上昇位置に固定され、かご体の内部に棚板が取付けられて、物入として使用されることを特徴とする昇降機が提供される。
かかる構成によれば、物入として利用される場合には、かご体は上昇位置に固定される。よって、Uターン型階段を利用する際に、昇降機が邪魔になることはない。
【０００９】
第四の発明によれば、第一の発明において、かご体の内部に、底面形状を利用した腰掛部が形成されてなることを特徴とする昇降機が提供される。
かかる構成によれば、腰掛部に腰掛けた状態でかご体が上下移動させられるので、通常の家庭用エレベータを利用する場合に利用者が感じる圧迫感や不安感が減じられる。
【発明の効果】
【００１０】
本発明に係る昇降機によれば、昇降機設置用の空間がとれなくとも階段室を利用し、しかも既存の階段をそのままにして、昇降機を設置できるので、狭小住宅においても設置でき、かつ施工が容易である。
【発明を実施するための最良の形態】
【００１１】
以下、図１〜図６を参照して本発明の最良の実施形態に係る昇降機を説明する。
図１は、二階建て住宅の階段室に設けられたＵターン型階段Ｓの平面図で、図中１、２、３、４は一階からの一段目、二段目、三段目、四段目の段板を示している。本発明の昇降機は、この階段Ｓの一階の昇降口で、一段目の段板１から四段目の段板４の上方に配置される。
【００１２】
図２は、上記Ｕターン型階段Ｓに昇降機Ｌが設置された状態を示す側面図で、昇降機Ｌは、利用者及び／又は荷物を乗せるかご体１０と、該かご体１０を略垂直に昇降させる昇降機構１１とを具備している。
かご体１０は、図３〜４にもその詳細形状を示すが、一側面が利用者の出入り及び／又は荷物の出し入れのための開口１０ａとされ、他の上下周囲は閉塞された略直方体状の箱状体で、底面部１２、天板部１３、左右の側面部１４ａ、１４ｂ、背面部１４ｃを有しており、開口１０ａが階段Ｓの昇降口、つまり一段目１の手前の略縁部上に位置させられるように配されている。かご体１０の上記底面部１２の下面は、階段Ｓの段差に対応した形状に形成され、かご体１０の下降位置において、底面部１２の下面が階段Ｓの所定の段板上に当接させられるか近接させられる構成となっている。
【００１３】
上述のように、かご体１０は、かご体１０が下降位置において階段Ｓの昇降口の上方に来るが、階段Ｓの段板があるので、底面部１２の下面が階段Ｓの段板に対応した段状に形成されることになる。しかし、単に、階段Ｓの各段板に完全に対応した段状にすると、かご体１０の内部も同様の対応した段状に形成されなければならないため、昇降機の利用者が入り込むのに不都合な形状となる。そこで、かご体１０の底面部１２は、階段Ｓの二段分に対してかご板１０の底面部１２の一段が対応するように、その段状形状が形成されている。すなわち、かご体１０の底面部１２は、開口１０ａ側の前方底面部１２ａと、開口１０ａとは反対の背面側の後方底面部１２ｂとを備えた段板形状に形成されており、前方底面部１２ａと後方底面部１２ｂの段差は、階段Ｓの段差（二段分の段差）に対応しており、かご体１０の下降位置において、前方底面部１２ａの下面が二段目の段板２上に当接させられるか近接させられ、後方底面部１２ｂの下面が四段目の段板４上に当接させられるか近接させられる構成となっている。そして、このような構成にされた結果、前方底面部１２ａの上面を足置き場とし、後方底面部１２ｂの上面を着座面とすると、かご体１０の内部は昇降機の利用者が座るのに丁度適した空間となる。しかしながら、利用者が後方底面部１２ｂの上面に座るには、前方底面部１２ａの上面に上らなければならず、身体的障害者や高齢者の利用者にとっては困難な場合がある。
【００１４】
そこで、本実施形態では、昇降機の利用者は前方底面部１２ａの上部に腰を掛ければ自動的に後方底面部１２ｂの上部の位置まで移動されるような乗込み構造を備えている。
すなわち、図３から分かるように、かご体１０の前方底面部１２ａの上には、着座板１５が載置されている。着座板１５は、図示しない駆動機構によって前方底面部１２ａの上からそのまま上方後方に移動し、後方底面部１２ｂの上に重なる位置に到達する構成とされている。
この着座板１５の移動機構は、如何なる機構を用いたものでもよいが、かご体１０が下降位置にあるときに階段Ｓの各段板に衝突しないように後方底面部１２ｂの前方下方の空間に配置するのが好ましい。例えば、かご体１０の壁面側に案内溝を設け、着座板１５側に前記案内溝に摺動自在に係合する突起を設け、着座板１５を駆動して案内溝にそって摺動可能とするスライド機構を、垂直方向のスライドと水平方向のスライドのために２組設けたスライド移動構造とすることができる。案内溝と突起は案内レールと摺動片に置き換えてもよい。あるいは、周知の平行リンク機構をアクチュエータにより駆動するようにして、着座板１５を下降位置と上方位置との間で平行移動させるようにすることもできる。このような移動機構には、移動機構をＯＮ・ＯＦＦするスイッチが付設されるが、かかるスイッチは、昇降機に乗込む利用者が操作可能なように、かご体１０の側面等の適切な場所に取付けられる。
【００１５】
以上のように、昇降機の利用者は、かご体１０の底面部１２の前方底面部１２ａ上に位置している着座板１５に座って、後方底面部１２ｂの上まで移動し、その時点で昇降機構１１を作動させて一階から二階に移動することができるが、かご体１０の前方は開口１０ａとなっているので、昇降中の利用者の安全を図るべく、かご体１０の内部の後方底面部１２ｂの上方には、シートベルト機構１６が備えられている。すなわち、図４に示すように、自由に変形可能な二本のベルト部材１６ａ、１６ａの基端が、かご体１０の各側面部１４ａ、１４ｂと背面部１４ｃが交差する左右の隅部にそれぞれ固定されると共に、一方のベルト部材１６ａの先端にバックル１６ｂが装着され、他方のベルト部材１６ａの先端にバックル１６ｂに着脱自在に係合されるタング１６ｃが取付けられてなる。
尚、シートベルトを装着しなかった場合の利用者の身体の飛び出しや足先の飛び出しを防ぐために、後述するかご体１０を物入として利用する際に使用される棚板２２を、図３において、ａ、ｂによって示した位置に取り付ける（取付けは、例えば両側面部側にガイドを固定し、それに棚板の両側縁部を嵌入させる等による）こともできる。
【００１６】
一方、昇降機構１１は、かご体１０の天板部１３の上面にブラケットを介して一端が連結されたロープ１７と、該ロープ１７の他端が連結され、階段室の天井等に取付けられるか階段室の天井裏等に設置された巻き上げ機１８とを具備し、これもかご体１０の側面部等の適切な場所に取付けられたスイッチを操作することにより、巻き上げ機１８が作動させられ、かご体１０が一階の下降位置と二階の上昇位置との間を移動させられる。その結果、かご体１０は、階段Ｓの二段目の段板２と四段目の段板４の上にかご体１０の底面部１２の下面が接触するかもしくは近接する状態となる下降位置と、二階の床面Ｆと底面部１２の前方底面部１２ａの上面が略同一高さになる上昇位置との間で、昇降される構成となっている。そして、かご体１０の上昇位置においては、かご体１０の開口１０ａが臨む階段室開口縁部には、壁はもちろんのこと手摺や柵等が設けられておらず、昇降機の利用者はかご体１０の上昇位置においてそのまま二階床面Ｆ上に降りることができる構成とされている。
【００１７】
また、昇降機構１１は、かご体１０の昇降中にかご体１０を案内し、その横振れ等を防止するためのガイド手段１９を備えている。このガイド手段１９は如何なる構造のものでもよいが、本実施形態では、かご体１０の左右双方又は何れかの側面部１４ｂの外面に上下方向に延びる溝１９ａが形成され、またかご体１０の昇降路の左右双方又は何れかの側には、上下方向に延びるレール１９ｂが垂設されており、該レール１９ｂがかご体１０の溝１９ａに挿通され、かご体１０が昇降時にレール１９ｂによって案内される構成とされている。図示例では、階段が内側手摺とすると、それと反対側の壁側に、かかるガイド手段１９が設けられた例を示している。
【００１８】
更に、前述のように、かご体１０の上昇位置においてかご体１０の開口１０ａが臨む階段室開口縁部には手摺や柵等が設けられていない。このため、本発明に係る昇降機が下降位置に位置させられているとき、階段室二階の開口縁部からの落下等を防止するための手段を設けることが必要である。このような手段は、階段室二階の開口縁部側に設けることも可能であるが、かご体１０に付設することもできる。
図５〜６はかかる落下防止手段２０の一例を示すもので、縦長のシート状のネット２０ａの短辺一縁を二階の天井面に固定して取付け、短辺他縁をかご体１０の天板部１３の上面に固定して取付けたものである。ネット２０ａの長さは、かご体１０が下降位置に位置させられたときに、ネット２０ａが丁度張った状態になる長さとされ、またネット２０ａの取付け位置は、階段室二階の開口縁部をネット２０ａが覆うように該開口縁部に面する垂直面内にネット２０ａが来るような位置になっている。
【００１９】
更に、昇降機は階段室に設置されるため、昇降機の作動時に階段室に家人が立ち入らないようにするのが安全上好ましい。このために、昇降機が作動されている間、特にかご体１０が二階の上昇位置や一階と二階の間に位置しているときに、家人が一階の階段昇降口を通過しないように、家人に警告を与える手段を付設しておくのが好ましい。
図５〜６はかかる警告手段２１の一例を示すもので、かご体１０の底面部１２の内部にケースが組み込まれ、該ケース内に紐体２１ａが巻き取り及び繰り出し自在に収納され、該紐体２１ａのケース内の端部には該紐体２１ａを巻き取り付勢する巻き取りバネが備えられると共に、紐体２１ａの先端には、例えば「進入禁止」との表示やサインが記載された表示板２１ｂが取付けられている。また、紐体２１ａを巻き取る際に操作する取っ手２１ｃも備えられている。
【００２０】
以上が本発明に係る昇降機の昇降機としての機能を果たすための構造であるが、本発明に係る昇降機は、昇降機として使用しない時期において物入として利用できる構造とされている。
すなわち、本実施形態では、かご体１０を物入として利用できるように、かご体１０の内部には複数の棚板２２が取外し可能に取付けられている。棚板２２の数、サイズ、取付け方法等は任意であるが、図３に示す例では、かご体１０の背面部１４ｃの内面に、上下一対の回動棚板２２ａが、上下に離間させられ、各一辺を背面部１４ｃに回動可能に取り付けられ、図示しないバネ等の付勢手段によって折り畳み可能に取り付けられている。また、かご体１０の側面部１４ａ、１４ｂの各内面には図示しない係合縁部が水平に形成され、回動棚板２２ａが水平に倒されたときに該係合縁部上に棚板２２ａの両側縁部が載置されるようになっている。よって、昇降機として使用し、利用者がかご体１０内に乗込む場合には、回動棚板２２ａは跳ね上げられて折り畳まれるが、物入として利用する場合には、回動棚板２２ａは水平状態に倒されて、係合縁部上に載置された状態にでき、その上に種々の物品が置かれることとなる。
【００２１】
また、回動棚板２２ａは二段にして起立させて折り畳み可能としたため、その奥行きが側面部１４ａ、１４ｂの奥行き全体にわたるものではない。そこで、本実施形態では、かご体１０の側面部１４ａ、１４ｂの内面の上記係合縁部を、側面部１４ａ、１４ｂの長さ方向（奥行き方向）に沿って延長し、その係合縁部に、前方棚板２２ｂを載置することができる。
このように、かご体１０の内部に棚板２２（２２ａ、２２ｂ）を取り付けることにより、かご体１０内に、上下２段の棚ができ、また後方底面部１２ｂも棚板として機能するので、かご体１０を物入として利用することができる。よって、例えば奥行きが７００ｍｍの棚が２段、７５０ｍｍ×３５０ｍｍの棚が１段、利用可能となる。
【００２２】
また、昇降機を物入として利用する場合は、階段の上り下りに支障がないように、昇降機を上昇位置に固定しておく。しかし、長期にわたって上昇位置に固定しておくことや、物入として種々の物品を入れておくため、また万が一の事故を未然に防ぐために、上昇位置にかご体１０をしっかりと固定する手段を付設しておくのが好ましい。
本実施形態では、かかる固定手段２３の一例として、閂２３ａを、二階開口部縁部とかご体１０の間に設けている。図示例では、閂２３ａをかご体１０の左右に二組設けているが、設置数は任意である。
【００２３】
更に、上記では、昇降機においては、基本的には利用者がかご体１０内に乗込むことを前提として説明したが、種々の物品、荷物等を運搬するためにも利用される。かかる場合、棚板２２をいろいろ組み合わせて、いろいろなスペースを作り出すことが可能である。例えば、回動棚板２２ａ、前方棚板２２ｂのうち、上方にあるもののみを使用できるようにし、下方のものを折り畳んだり、取外しておくことにより、若干窮屈ではあるが、人と小量の物品を同時に昇降させることができる。
【００２４】
また、かご体１０の左右の側面部１４ａ、１４ｂの前端部の適当な部位に前方棚板２２ｂの側縁部を受け入れ可能な係合部を設けておき、取外した前方棚板２２ｂを嵌め込んで、かご体１０の前方部を囲い、またその際に、回動棚板２２ａを適宜折り畳むことにより、種々の広さの空間をかご体１０内に作り出すことができる。図３は、この実施形態の一例を示すもので、前方棚板２２ｂは、図中ａ〜ｄで示す位置に取り付けることができ、それによって、敷布団や大型の植木鉢などの物品を積み込む空間を作り出すことができる。
また更に、着座板１５を、図３中、ｅで示す位置に留めることができる機構にすると、着座板１５を棚板として利用することができる。
【００２５】
以上のような昇降機Ｌでは、昇降機Ｌが下降位置にあるときに、利用者は、かご体１０の前方底面部１２ａの上にある着座板１５に腰を掛け、所定のスイッチを入ると、着座板１５がかご体１０の後方底面部１２ｂの上にまで移動する。この状態で、利用者はシートベルト機構１６によってシートベルトをした後、昇降機構１１のスイッチを入れ、二階まで上昇する。二階に到達した時点では、かご体１０の前方底面部１２ａの上面が二階床面Ｆと略一致した状態になる。よって、利用者はシートベルトを外してかご体１０から二階床面Ｆ上に降りることができる。二階から一階に下りるときは、この動作の逆となる。
また、昇降機Ｌを、重い物品や嵩張る物品を二階に運ぶ荷物用のリフトとしして用いる場合には、かご体１０内の棚板２２を適宜取り外したり取り付けたりして所望の空間をかご体１０内に作り出す。物品だけを運ぶこともできるし、物品と共に人も昇降できる。
【００２６】
以上のような実施形態によれば、階段用空間と階段昇降機の設置空間が共用されるので、建築費が節約でき、昇降機Ｌの設置によって潰される空間がないので、狭小な二階建て住宅へも設備できる。また、昇降機Ｌの設置に際して、既存の階段Ｓを壊す必要はないので、施工が容易であり、新築時に設備しておかないで後で取り付けることも簡単である。
また、エレベータはもともと高層の建物を基準に開発されたもので、二階建て程度の住宅には、法基準、建設費、昇降の速さ等、不向きなところが多い。本実施形態はそれらを極力改善したものである。例えば、一般のエレベータは密閉度が高く、家庭用では狭く、利用者は圧迫感を感じる。これに対して、本実施形態に係る昇降機Ｌは、昇降機Ｌの前方の開放性が高く、また腰を掛けて昇降するので、利用者が感じる圧迫感・不安感が減じられる。
【００２７】
更に、本実施形態に係る昇降機Ｌは、荷物用のリフトとして利用することもできる。例えば、一階に寝室がある場合、二階のベランダまで布団をもって上がって干すことが考えられるが、その際、階段を利用しなければならないとすると、若い健常者でも危険な作業となる。かかる場合、本実施形態に係る昇降機Ｌを利用すれば、時間はややかかってしまうが、作業が安全なものとなる。
また、本実施形態に係る昇降機Ｌは、階段上の物入、飾り棚としても利用することができる。すなわち、一般の階段昇降機は、設置しても家人全員が健常であるうちは使わない場合が多く、使わない場合に取り外すのは面倒である上、保管場所にも困る。しかし、本発明に係る昇降機Ｌは、上昇位置に固定しておくことで、階段上の物入、飾り棚として利用することができる。よって、住人の高齢化等に応じて一時的に階段昇降機として利用し、そのような必要が無くなった場合には、物入、飾り棚として二階に固定して利用することができる。
【００２８】
なお、上記においては、一階と二階の間の移動について説明したが、建物の構造によっては、これらに限定されるものではなく、要は上階と下階との間の移動について適用される。また、昇降機構１１はロープ式としたが、油圧式等、他の構造形式としても構わない。更に、一階の昇降口側に乗り込むための台座等を用意することにより、あるいは場合によっては利用者の状態等に応じて、着座板１５は省くこともできる。落下防止手段２０は、ネット２０ａではなく、シャッター式としてもよい。
【図面の簡単な説明】
【００２９】
【図１】本発明の一実施形態に係る昇降機が設置されるＵターン型階段の平面図である。
【図２】本発明の一実施形態に係る昇降機を階段に設置した状態を示す概略側面図である。
【図３】図２の昇降機のかご体の内部構造を示す概略図で、側面図である。
【図４】図３と同様の概略図で、平面図である。
【図５】図２の昇降機の概略斜視図であり、かご体が上昇位置にあるときの図である。
【図６】図５と同様の図で、かご体が下降位置にあるときの図である。
【符号の説明】
【００３０】
Ｓ                Ｕターン型階段
Ｆ                二階床面
１                一段目の段板
２                二段目の段板
３                三段目の段板
４                四段目の段板
１０              かご体
１０ａ            開口
１１              昇降機構
１２              底面部
１２ａ            前方底面部
１２ｂ            後方底面部
１３              天板部
１４ａ、１４ｂ    左右の側面部
１４ｃ            背面部
１５              着座板
１６              シートベルト機構
１６ａ            ベルト部材
１６ｂ            バックル
１６ｃ            タング
１７              ロープ
１８              巻き上げ機
１９              ガイド手段
１９ａ            溝
１９ｂ            レール
２０              落下防止手段
２０ａ            ネット
２１              警告手段
２１ａ            紐体
２１ｂ            表示板
２１ｃ            取っ手
２２              棚板
２２ａ            回動棚板
２２ｂ            前方棚板
２３              固定手段
２３ａ            閂
【図１】
2010023960.tif 000003
【図２】
2010023960.tif 000004
【図３】
2010023960.tif 000005
【図４】
2010023960.tif 000006
【図５】
2010023960.tif 000007
【図６】
2010023960.tif 000008